(57)【要約】【課題】押しボタンをエアゾール缶から容易に取り外すことができる。【解決手段】エアゾール缶２に取り付けられている押しボタン１には、外筒部１ｃの下端の一部を平面視で直線状に切り欠いた切欠部１２が形成されている。切欠部１２とマウンティングカップ９との間には開口部Ｓが形成され、この開口部Ｓに、コインなどの平板状の部材を挿入させて持ち上げることで、外筒部１ｃを上方に移動させて、押しボタン１をエアゾール缶２から取り外すようにした。【選択図】図１
0003130194.tif 000002
【実用新案登録請求の範囲】
【請求項１】
天面部と、該天面部の外周部から下方に延びる側壁部とを有し、前記側壁部の下端がエアゾール缶のマウンティングカップの内周面に接した状態で支持されるエアゾール缶用押しボタンであって、
前記側壁部には、その下端の一部を切り欠いた切欠部が形成されていることを特徴とするエアゾール缶用押しボタン。
【請求項２】
前記エアゾール缶には、容器本体に被せられるとともに、前記切欠部に挿入可能な爪部を有するカバー体が設けられ、
前記押しボタンを前記エアゾール缶から取り外す際に、前記カバー体の爪部を前記切欠部に挿入させた後、そのカバー体を持ち上げることで、前記爪部とともに前記押しボタンを上方に移動させるようにしたことを特徴とする請求項１に記載のエアゾール缶用押しボタン。
【考案の詳細な説明】
【技術分野】
【０００１】
本考案は、エアゾール缶から取り外しやすくしたエアゾール缶用押しボタンに関する。
【背景技術】
【０００２】
エアゾール缶は、残留ガスが残った状態で廃棄されると、廃棄過程において破裂するおそれがあることから、廃棄する際には可燃性の残留ガスを完全に放出してから廃棄するように求められている。残留ガスを放出する方法として、エアゾール缶から押しボタンを取外し、ステムをエアゾール缶の軸方向内空側に押し込む構造を有するキャップ本体に缶本体を装填することで残留ガスを抜く方法がある（例えば、特許文献１参照）。
特許文献１は、キャップ本体（スプレー缶用蓋）の天面部にステムを嵌合させるとともにステムを押し込む構造を備え、さらにキャップ本体の内部に液体吸収材を装填させた構造であり、ガス抜きを行う際には、缶の押しボタンを取り外し、逆さに向けたキャップ本体の天面部をステムに嵌合させ、そのカバー体でステムを押し込むことでガス抜きを行うものある。そして、ガス抜きに伴い噴出されるガスや液体を液体吸収材に吸収させることで、周囲に飛散することを防ぐようにしたものである。
【０００３】
ところで、図４に示すように、従来のエアゾール缶２の押しボタン１は、内筒部１ｂと側壁部１ｃとを有し、内筒部１ｂをバルブ機構７のステム６に嵌合させて固定する構造となっている。そして、側壁部１ｃは、その下端がエアゾール缶２のマウンティングカップ９の内周面９ａに隙間なく接する寸法で製作されている。これにより、エアゾール缶２に嵌合される押しボタン１は、左右に振れることなく安定した姿勢で固定され、操作上は勿論、外観上においても良好な構造となっている。
【特許文献１】特許第２９４１７６１号公報
【考案の開示】
【考案が解決しようとする課題】
【０００４】
しかしながら、従来のエアゾール缶の押しボタンでは、エアゾール缶の残留ガス抜きを行う際などで押しボタンを取り外すときに、押しボタンの側壁部の下端がマウンティングカップの内周面に接して嵌合状態となっていることから、押しボタンの周面に指や爪などを引っ掛ける部分がなく、側壁部を掴んで持ち上げようとすると指が滑ってしまい、押しボタンを取り外し難いといった問題があった。
【０００５】
そこで、本考案は、このような従来の事情に鑑みて提案されたものであり、押しボタンをエアゾール缶から容易に取り外すことができるエアゾール缶用押しボタンを提供することを目的とする。
【課題を解決するための手段】
【０００６】
この目的を達成するために、請求項１に係る考案は、天面部と、該天面部の外周部から下方に延びる側壁部とを有し、側壁部の下端がエアゾール缶のマウンティングカップの内周面に接した状態で支持されるエアゾール缶用押しボタンであって、側壁部には、その下端の一部を切り欠いた切欠部が形成されていることを特徴とするエアゾール缶用押しボタンである。
【０００７】
また、請求項２に係る考案は、エアゾール缶には、容器本体に被せられるとともに、切欠部に挿入可能な爪部を有するカバー体が設けられ、押しボタンをエアゾール缶から取り外す際に、カバー体の爪部を切欠部に挿入させた後、そのカバー体を持ち上げることで、爪部とともに押しボタンを上方に移動させるようにしたことを特徴とする請求項１に記載のエアゾール缶用押しボタンである。
【考案の効果】
【０００８】
以上のように、本考案の請求項１に係るエアゾール缶用押しボタンでは、側壁部の下端に形成した切欠部とマウンティングカップとの間に開口部が形成されることになり、例えばコインなどの平板状の部材を用いてその開口部に差し込み、てこの作用によって、押しボタンを簡単に持ち上げることで、押しボタンをエアゾール缶から容易に取り外すことができる。
【０００９】
本考案の請求項２に係るエアゾール缶用押しボタンでは、カバー体の爪部を押しボタンの切欠部とマウンティングカップとの間に形成される開口部に挿入させ、その状態のままカバー体を持ち上げると、爪部とともに押しボタンも上方に移動し、側壁部とマウンティングカップとの嵌合状態が外れ、押しボタンをエアゾール缶から取り外すことができる。
また、カバー体を用いて押しボタンを取り外すことができることから、前記開口部に挿入して取り外すための別の冶具などの準備が不要になるといった効果を奏する。
【考案を実施するための最良の形態】
【００１０】
以下、本考案を適用したエアゾール缶用押しボタンについて、図面を参照して詳細に説明する。
図１は、本考案を適用した実施の形態によるエアゾール缶用の押しボタンの断面図、図２は図１に示す押しボタンの平面図、図３は図１に示すカバー体の斜視図である。
【００１１】
図１に示すように、本考案の押しボタン１は、エアゾール缶２（スプレー缶ともいう）に取り付けられるものである。
先ず、具体的に、エアゾール缶２は、内容物が収容された耐圧容器３（容器本体）と、耐圧容器３の上部に設けられた突起部４の先端から突出されるとともに、付勢部材５により上方に付勢された状態で上下方向に移動可能に支持されたステム６を付勢部材５に抗して押し下げることにより開放されるバルブ機構７と、ステム６の先端部に取り付けられるとともに噴射ノズル８（噴射口）が設けられた押しボタン１とを備えている。
【００１２】
耐圧容器３は、例えばスチールやアルミニウム等からなる金属製の容器であり、その上部中央にバルブ機構７を保持するマウンティングカップ９が設けられている。このマウンティングカップ９の底面中央からは、平面視略円形状の突起部４が上方に向かって突出している。この突起部４は、バルブ機構７のステム６を上下方向に移動可能に支持する部分であり、この突起部４の先端からは、円筒状のステム６が上方に向かって突出している。
【００１３】
この圧力容器３に収容される内容物としては、例えば、殺虫剤、室内消臭剤、整髪剤、ヘアケア剤、育毛トニック剤、シェービングフォーム、芳香剤、工業用スプレーなどを挙げることができる。
【００１４】
バルブ機構７は、マウンティングカップ９の突起部４の内側から耐圧容器３内に垂下されたシリンダ１１を有している。ステム６は、その下端部に設けられた弁体６ａをシリンダ１１内に挿入している。付勢部材５は、シリンダ１１内の弁体６ａの下方に圧縮された状態で配置されている。これにより、ステム６は、上方に付勢された状態で上下方向に移動可能になっている。なお、ステム６が上端部に位置するとき、このバルブ機構７は閉塞された状態となっている。また、シリンダ１１の下端部からは、耐圧容器３に収容された内容物を吸い込むチューブ（図示省略）が圧力容器３のほぼ底面部まで延びている。
【００１５】
図１に示すように、押しボタン１は、天面部１ａと、この天面部１ａの下面中央から垂下された内筒部１ｂと、この内筒部１ｂの周囲を囲むように天面部１ａの外周部から垂下された外筒部１ｃ（側壁部）とを有し、これら内筒部１ｂと外筒部１ｃとの間には、環状してなる凹部１ｄが形成されている。そして、この押しボタン１は、ステム６を内筒部１ｂの内側に嵌合させることによって、ステム６の先端部に取り付けられている。また、天面部１ａの下面側には、ステム６から噴出された内容物を内筒部１ｂから噴射ノズル８へと導く流路１ｅが設けられている。噴射ノズル８は、外筒部１ｃに設けられ、流路１ｅを通じて圧送された内容物を霧状又は泡状にして噴射させるようになっている。
【００１６】
外筒部１ｃの下端部は、径方向外側に張り出すようにしてなる環状の嵌合凸状部１ｆが形成されている。そして、押しボタン１は、嵌合凸状部１ｆがマウンティングカップ９の内面９ａに隙間なく接した状態で嵌合するように構成されている。
また、図２に示すように、嵌合凸状部１ｆには、その一部を平面視で直線状に切り欠いた切欠部１２が形成されている。マウンティングカップ９に嵌合した状態において、切欠部１２とマウンティングカップ９との間に開口部Ｓが形成される構成となっている。
【００１７】
さらに、本実施の形態では、図１の二点鎖線に示すように、エアゾール缶２には、耐圧容器３に被せられるカバー体２０が設けられている。
図３に示すように、カバー体２０は、マウンティングカップ９の外周面９ａに嵌合可能とされ、開口周縁部２０ａから上端部２０ｂに向けて所定長さで切り欠かかれた一対のスリット部２０ｃ、２０ｄが周方向に所定の間隔をもって形成され、これら一対のスリット部２０ｃ、２０ｄの間に挟まれた開口部Ｓに挿入可能な大きさをなす爪部２０ｅを有している。
【００１８】
次に、爪部２０ｅが形成されたカバー体２０を用いて押しボタン１をエアゾール缶２から取り外す方法について図面に基づいて説明する。
残留ガスを放出するために押しボタン１をステム６から取り外す際には、先ず、図３に示すカバー体２０の爪部２０ｅを、図１及び図２に示す切欠部１２とマウンティングカップ９との間に形成される開口部Ｓに挿入させ、その状態のままカバー体２０を持ち上げると、爪部２０ｅとともに押しボタン１も上方に移動し、外筒部１ｃの嵌合凸状部１ｆとマウンティングカップ９との嵌合状態が外れ、押しボタン１をエアゾール缶２（ステム６）から取り外すことができる。
このように、カバー体２０を用いて押しボタン１を取り外すことができることから、開口部Ｓに挿入して取り外すための別の冶具などの準備が不要になるといった効果も得ることができる。
【００１９】
以上のような構造を有するエアゾール缶用押しボタン１では、外筒部１ｃの下端に形成した切欠部１２とマウンティングカップ９との間に開口部Ｓが形成されることになり、例えばコインなどの平板状の部材を用いてその開口部Ｓに差し込み、てこの作用によって、押しボタン１を簡単に持ち上げることで、押しボタン１をエアゾール缶２から容易に取り外すことができる。
【００２０】
以上、本考案によるエアゾール缶用の押しボタンの実施の形態について説明したが、本考案は上記の実施の形態に限定されるものではなく、その趣旨を逸脱しない範囲で適宜変更可能である。
例えば、本考案を適用した押しボタン１では噴射ノズル８の噴射口が押しボタン１の外筒部１ｃに設けられ、外筒部１ｃの下端に嵌合凸状部１ｆを有する構造としているが、このような形状の押しボタン１に限定されることはない。例えば、嵌合凸状部１ｆを形成しない外筒部の下端に切欠部を設けるようにしてもかまわない。
また、外筒部１ｃに形成した切欠部１２の形状、大きさはとくに限定されるものではない。すなわち本実施の形態では、平面視で直線状に切り欠いているが、別の形状として、平面視で円弧状をなす切欠部であってもよい。
【００２１】
さらに、本実施の形態では、爪部２０ｅを有するカバー体２０を用い、その爪部２０ｅを外筒部１ｃの切欠部１２に挿入させて押しボタン１を取り外すようにしているが、カバー体２０の爪部２０ｅの形状は、切欠部１２に挿入可能であればいかなる大きさ、形状であってもよい。また、爪部２０ｅを設けないカバー体２０であってもよく、その場合には別の適宜な冶具を用いて切欠部１２に挿入させて押しボタン１を取り外すようにすればよい。
【図面の簡単な説明】
【００２２】
【図１】本考案を適用した実施の形態によるエアゾール缶用の押しボタンの断面図である。
【図２】図１に示す押しボタンの平面図である。
【図３】図１に示すカバー体の斜視図である。
【図４】本考案を適用した別のエアゾール缶用の押しボタンを示す斜視図であって、図２に対応する図である。
【符号の説明】
【００２３】
１…押しボタン、１ａ…天面部、１ｂ…内筒部、１ｃ…外筒部（側壁部）、１ｆ…嵌合凸状部、２…エアゾール缶、３…耐圧容器、６…ステム、１２…切欠部、２０…カバー体、２０ｃ、２０ｄ…スリット部、２０ｅ…爪部、Ｓ…開口部
【図１】
0003130194.tif 000003
【図２】
0003130194.tif 000004
【図３】
0003130194.tif 000005
【図４】
0003130194.tif 000006